(57)【要約】【課題】靴底に負荷される衝撃を効果的に吸収することができると共に、靴底のデザインが限定されることのない靴底の提供を課題とする。【解決手段】接地面を持つアウトソール１０と、該アウトソール１０の上方に配置されるミッドソール２０とからなる靴底１であって、アッパー側に配置される面の任意の位置で、且つ前記アッパー側に配置される面の外周から間隔をあけた領域に、衝撃吸収材３０を備える。また衝撃吸収材３０を嵌合可能な嵌合用凹部２１を備える靴底１である。【選択図】      図１
0003211260.tif 000002
【実用新案登録請求の範囲】
【請求項１】
アッパー側に配置される面の任意の位置で、且つ前記アッパー側に配置される面の外周から間隔をあけた領域に、衝撃吸収材を備えることを特徴とする靴底。
【請求項２】
衝撃吸収材を嵌合可能な嵌合用凹部を備えることを特徴とする請求項１に記載の靴底。
【請求項３】
接地面を持つゴム製のアウトソールと、該アウトソールの上方に配置される樹脂製のミッドソールとからなり、前記ミッドソールに衝撃吸収材を備えることを特徴とする請求項１又は２に記載の靴底。
【請求項４】
衝撃吸収材は、エアークッションであることを特徴とする請求項１〜３の何れか１項に記載の靴底。
【考案の詳細な説明】
【技術分野】
【０００１】
本考案は靴底に関する。
【背景技術】
【０００２】
歩行時や走行時において、靴底には大きな衝撃が負荷される。このような衝撃が原因となって足や腰が疲労し、運動障害が発生することもある。よって、従来、歩行時や走行時の衝撃を効果的に低減させるための衝撃吸収構造を備える靴底が各種開発されている。
このような靴底を示す従来技術として、例えば下記特許文献１がある。
【先行技術文献】
【特許文献】
【０００３】
【特許文献１】実公平７―７７６８号公報
【考案の概要】
【考案が解決しようとする課題】
【０００４】
上記特許文献１は、靴底構造に関する考案で、靴底にかかる衝撃の緩和、特に踵部のクッション性を向上せしめながら踵部における装飾をも同時に付与せしめることができるというメリットがある。
しかしながら上記特許文献１の技術においては、衝撃吸収材を外部から視認できる構成とするものであることから、靴底のデザインが限定されるという問題があった。
【０００５】
そこで本考案は、靴底に負荷される衝撃を効果的に吸収することができると共に、靴底のデザインが限定されることのない靴底の提供を課題とする。
【課題を解決するための手段】
【０００６】
上記課題を達成するため本考案の靴底は、アッパー側に配置される面の任意の位置で、且つ前記アッパー側に配置される面の外周から間隔をあけた領域に、衝撃吸収材を備えることを第１の特徴としている。
また本考案の靴底は、上記第１の特徴に加えて、衝撃吸収材を嵌合可能な嵌合用凹部を備えることを第２の特徴としている。
また本考案の靴底は、上記第１又は第２の特徴に加えて、接地面を持つゴム製のアウトソールと、該アウトソールの上方に配置される樹脂製のミッドソールとからなり、前記ミッドソールに衝撃吸収材を備えることを第３の特徴としている。
また本考案の靴底は、上記第１〜第３の何れか１つの特徴に加えて、衝撃吸収材は、エアークッションであることを第４の特徴としている。
【考案の効果】
【０００７】
請求項１に記載の靴底によれば、アッパー側に配置される面の任意の位置で、且つ前記アッパー側に配置される面の外周から間隔をあけた領域に、衝撃吸収材を備えることから、靴底に伝わる衝撃を効果的に吸収することができる。よって足や腰への負担を低減することができ、特に歩行時の疲労感を効果的に低減することができる。また外部から視認されることのない位置に衝撃吸収材を配置することができる。よって衝撃吸収材を備える靴底において、靴底のデザインが限定されることを効果的に防止することができる。
【０００８】
また請求項２に記載の靴底によれば、請求項１に記載の構成による作用効果に加えて、衝撃吸収材を嵌合可能な嵌合用凹部を備えることから、衝撃吸収材の取り付け作業を容易に行うことができる。よって製造過程において作業性の良い靴底とすることができる。
【０００９】
また請求項３に記載の靴底によれば、上記請求項１又は２に記載の構成による作用効果に加えて、接地面を持つゴム製のアウトソールと、該アウトソールの上方に配置される樹脂製のミッドソールとからなり、前記ミッドソールに衝撃吸収材を備えることから、軽量性と耐久性に富むと共に、一段と衝撃吸収力を備えた靴底とすることができる。
【００１０】
また請求項４に記載の靴底によれば、上記請求項１〜３の何れか１項に記載の構成による作用効果に加えて、衝撃吸収材は、エアークッションであることから、一段と軽量性に富む靴底とすることができる。
【図面の簡単な説明】
【００１１】
【図１】本考案の靴底を示す全体斜視図である。
【図２】本考案の靴底を示す図で、（ａ）は分解斜視図、（ｂ）は衝撃吸収材の平面図、（ｃ）は（ｂ）のＢ−Ｂ線方向における断面図である。
【考案を実施するための形態】
【００１２】
以下、図面を参照して、本考案の実施形態に係る靴底について説明する。
【００１３】
図１を参照して、本考案の靴底１は、靴の土台を構成すると共に、接地部分を構成するものである。この靴底１は、例えば図１に示すように、靴内部の土台を構成する中底２と、足裏を載置させるための中敷き３と、足を収納するためのアッパー４と組み合わされて靴を構成する。
【００１４】
図１、図２に示すように、この靴底１は、アウトソール１０と、ミッドソール２０と、衝撃吸収材３０とで構成される。
【００１５】
前記アウトソール１０は、靴底１の接地部分を構成するものである。
本実施形態においては、図２に示すように、このアウトソール１０は、足先側の接地部分を構成する足先側アウトソール１０ａと、踵側の接地部分を構成する踵側アウトソール１０ｂとで構成される。そして足先側アウトソール１０ａと踵側アウトソール１０ｂとは、それぞれ接着剤（図示しない）を介して、ミッドソール２０の所定位置に貼り付けられる。
また本実施形態においては、図２に簡略化して示すように、足先側アウトソール１０ａと踵側アウトソール１０ｂとを、いわゆる御椀型に形成し、ミッドソール２０の所定位置に接合させる構成としてある。
なお本実施形態においては、足先側アウトソール１０ａ及び踵側アウトソール１０ｂの素材として、合成ゴムを用いる構成としてある。勿論、アウトソール１０ａ及びアウトソール１０ｂの材質は合成ゴムに限るものではなく、靴底の接地部分を構成する素材として通常用いられている他の素材を用いる構成としてもよい。また足先側アウトソール１０ａと踵側アウトソール１０ｂとで異なる素材を用いる構成としてもよい。
【００１６】
前記ミッドソール２０は、靴底１の骨格を構成すると共に、中底２を載置させるための土台となるものである。
本実施形態においては、靴のアッパー側に配置される上面２０ａの踵側の略中央位置で、且つ上面２０ａの外周から間隔をあけた領域に、衝撃吸収材３０を嵌合させるための衝撃吸収材嵌合用凹部２１を備える構成としてある。これによって靴が完成した状態において、衝撃吸収材３０が外部から見えない構成とすることができる。
なお、衝撃吸収材嵌合用凹部２１の深さは、衝撃吸収材嵌合用凹部２１に衝撃吸収材３０を嵌合させた状態において、衝撃吸収材３０が衝撃吸収材嵌合用凹部２１に完全に埋まる深さや、衝撃吸収材３０の上面がミッドソール２０の上面２０ａと面一になる深さや、衝撃吸収材３０の上面がミッドソール２０の上面２０ａよりも突出するような深さの何れであってもよい。
また衝撃吸収材嵌合用凹部２１の形状や大きさも本実施形態のものに限るものではなく、衝撃吸収材３０の形状や大きさに合わせて適宜変更可能である。
更に衝撃吸収材嵌合用凹部２１の形成位置や、数も本実施形態のものに限るものではなく、適宜変更可能である。但し、靴が完成した状態において、衝撃吸収材３０が外部から見えない位置に設けることが必要である。
また本実施形態においては、ミッドソール２０の素材として、エチレン−酢酸ビニル共重合樹脂を用いる構成としてある。勿論、ミッドソール２０の素材は、エチレン−酢酸ビニル共重合樹脂に限るものではなく、靴のミッドソールとして通常用いられる他の樹脂を用いる構成としてもよい。
【００１７】
前記衝撃吸収材３０は、靴底１に伝わる衝撃を効果的に緩和させるためのものである。
既述したように本実施形態においては、ミッドソール２０に設ける衝撃吸収材嵌合用凹部２１に、衝撃吸収材３０を嵌合させる構成としてある。
また本実施形態においては、衝撃吸収材３０として、透明なプラスチック製のシートに高圧の空気を注入してなる、いわゆるエアークッションを用いる構成としてある。なお、プラスチックとしては、例えばポリエチレン等、エアークッションとして通常用いられるものを使用することができる。
【００１８】
更に本実施形態においては、図２に示すように、衝撃吸収材３０の上面３０ａと下面３０ｂとに、略小判型の凹所３１を３つ設ける構成としてある。具体的には、衝撃吸収材３０の長手方向に、同一形状、同一大きさの３つの凹所３１を並列配置させる構成としてある。更に図２（ｃ）に示すように、上面３０ａと下面３０ｂとで、同じ位置に凹所３１を設ける構成としてある。加えて、上面３０ａに設ける３つの凹所３１の底面Ｔ１と、下面３０ｂに設ける３つの凹所３１の底面Ｔ２とを密着させる構成としてある。これによって図２に示すように、衝撃吸収材３０の長手方向と、長手方向に直交する短手方向とに、それぞれに空気だまりＫを配置する構成としてある。
このような凹所３１は、例えばモールド成形金型を用いて形成することができる。
また本実施形態においては、図２に示すように、衝撃吸収材３０の長手方向の側面Ｓ１、Ｓ２と、短手方向の足先側の側面Ｓ３とを、地面に対して垂直な平坦面とする構成としてある。また衝撃吸収材３０の短手方向の踵側の側面Ｓ４を、地面に対して垂直で且つ外方に向けて突出する湾曲面とする構成としてある。
なお、図２（ｃ）に示す衝撃吸収材３０の厚みＣは、衝撃吸収材嵌合用凹部２１の深さに合わせて適宜変更可能である。
【００１９】
次に、このような構成からなる靴底１の製造方法を説明する。
まず合成ゴムを使用し、型を用いて足先側アウトソール１０ａと、踵側アウトソール１０ｂとを形成する。
その後、エチレン−酢酸ビニル共重合樹脂を発泡させる。
そしてモールド金型内に、アウトソール１０ａとアウトソール１０ｂとを配置し、発泡させたエチレン−酢酸ビニル共重合樹脂を流し込む。
以上により、靴底１が完成する。
【００２０】
このような構成からなる本考案の実施形態に係る靴底１は、以下の効果を奏する。
【００２１】
靴底１のアッパー側に配置される上面２０ａに衝撃吸収材３０を備える構成とすることで、靴底に伝わる衝撃を効果的に吸収することができる。よって足裏や膝、腰への負担を低減することができ、特に歩行時の疲労感を効果的に低減することができる。
また衝撃吸収材嵌合用凹部２１の配置位置を、上面２０ａの踵側の略中央位置とすることで、衝撃吸収材３０を踵の略中央位置に配置することができる。よって特に踵への負担を効果的に低減可能な靴底１とすることができる。加えて、上面２０ａの外周から一定の間隔をあけて衝撃吸収材嵌合用凹部２１を設け、靴が完成した状態において衝撃吸収材３０が外部から見えない構成とすることで、衝撃吸収材を備える靴底において、靴底のデザインが限定されることを効果的に防止することができる。従って靴底や靴のデザインを損なうことのない、衝撃吸収性能を備えた靴底１とすることができる。
【００２２】
またミッドソール２０に設ける衝撃吸収材嵌合用凹部２１に、衝撃吸収材３０を嵌合させる構成とすることで、衝撃吸収材３０の取り付け作業を容易に行うことができる。よって製造過程において作業性の良い靴底１とすることができる。
【００２３】
また合成ゴムで形成されるアウトソール１０と、エチレン−酢酸ビニル共重合樹脂で形成されるミッドソール２０とで靴底１を構成すると共に、ミッドソール２０に衝撃吸収材３０を配置する構成とすることで、軽量性と耐久性に富むと共に、一段と衝撃吸収力を備えた靴底１とすることができる。
【００２４】
また衝撃吸収材３０として、透明なプラスチック製のシートに高圧の空気を注入してなる、いわゆるエアークッションを用いる構成とすることで、一段と軽量化が可能な靴底１とすることができる。また形成容易な衝撃吸収材３０とすることができる。
【００２５】
更に衝撃吸収材３０の構成として、上面３０ａと下面３０ｂの同じ位置に３つの凹所３１を並列配置させると共に、底面Ｔ１と底面Ｔ２とを密着させる構成とし、これによって衝撃吸収材３０の長手方向と、長手方向に直交する短手方向とに、それぞれに空気だまりＫを配置する構成とすることで、靴底１に対してどの方向から荷重が負荷された場合でも、靴底にかかる衝撃を効率的に吸収可能な靴底１とすることができる。
【００２６】
また衝撃吸収材３０の長手方向の側面Ｓ１、Ｓ２と、短手方向の足先側の側面Ｓ３とを、地面に対して垂直な平坦面とすると共に、衝撃吸収材３０の短手方向の踵側の側面Ｓ４を、地面に対して垂直で、且つ外方に向けて突出する湾曲面とすることで、衝撃吸収材３０の形状を踵の形状に沿った形状とすることができる。よって靴底１にかかる衝撃を一段と効率的に吸収可能な靴底１とすることができる。
【００２７】
なお、本実施形態においては、衝撃吸収材３０として、透明なプラスチック製のシートに高圧の空気を注入してなる、いわゆるエアークッションを用いる構成としたが、必ずしもこのような構成に限るものではなく、例えばゲル状物質や液体等、衝撃吸収性能を備えるものであれば、他の如何なるものを用いてもよい。
【００２８】
また衝撃吸収材３０に設ける凹所３１の数や形状、大きさ、配置位置も本実施形態のものに限るものではなく、適宜変更可能である。更に衝撃吸収材３０に凹所３１を設けない構成としてもよい。
【産業上の利用可能性】
【００２９】
本考案は、靴底に伝わる衝撃を効果的に吸収可能な靴底として利用することができる。
【符号の説明】
【００３０】
１      靴底
２      中底
３      中敷き
４      アッパー
１０    アウトソール
１０ａ  足先側アウトソール
１０ｂ  踵側アウトソール
２０    ミッドソール
２０ａ  上面
２１    衝撃吸収材嵌合用凹部
３０    衝撃吸収材
３０ａ  上面
３０ｂ  下面
３１    凹所
Ｃ      厚み
Ｋ      空気だまり
Ｓ１    側面
Ｓ２    側面
Ｓ３    側面
Ｓ４    側面
Ｔ１    底面
Ｔ２    底面
【図１】
0003211260.tif 000003
【図２】
0003211260.tif 000004